【手続補正書】
【提出日】令和2年10月13日(2020.10.13)
【手続補正１】
【補正対象書類名】明細書
【補正対象項目名】全文
【補正方法】変更
【補正の内容】
【発明の詳細な説明】
【発明の名称】ベイトホルダ及びホルダユニット
【技術分野】
【０００１】
この発明は、釣餌を保持するベイトホルダ及びこれに適用されるホルダユニットの構造に関するものである。
【背景技術】
【０００２】
たとえばタチウオ釣りにおいては、「テンヤ」と称されるベイトホルダーが仕掛けに組み込まれる。一般にベイトホルダーは、錘の機能を有するヘッドと、ベイト（典型的にはイワシやキビナゴ）を保持する保持部と、ベイトにアタックしてきたターゲットにフッキングする釣針とを備えている（特許文献１参照）。この釣針は、軸部、腰部及び先曲部を有し、腰部及び先曲部が下方に向いた状態で軸部の基端が上記ヘッドに接続される。
【０００３】
上記釣針の軸部に刺針が突設されており、この刺針の先が上方を向くように配置される。この刺針は、ベイトを固定するための巻付けワイヤを備えている。上記保持部は、上記軸部、刺針及び巻付けワイヤによって構成されている。実釣において釣人は、ベイトとしてのイワシやキビナゴを上記刺針に突き刺して上記軸部上に配置し、その状態で上記巻付けワイヤを当該ベイトに巻き付ける。これにより、上記ベイトは上記軸部及び刺針に固定され、ベイトホルダーによって保持された状態となる。
【０００４】
釣人が釣果を上げるためには、ターゲットの摂餌行為が活発になる時間帯（いわゆる「地合」）において、ベイトの着脱作業を迅速に行う必要がある。ところが、ベイトとしてのイワシの身、特に冷凍あるいは解凍されたイワシの身は非常に脆く、前述の要領で素早くイワシをベイトホルダーに装着する作業は容易ではない。特に、ベイトの取替作業時、すなわち、ターゲットがアタックすることによりイワシが身崩れを起こすと共に巻付けワイヤが絡み合っている状況において、当該イワシを上記保持部から取り外す作業は、非常に煩わしいものとなる場合もあった。
【０００５】
このような不都合を解消するために、出願人は、簡単な操作でベイトを素早く交換することができるベイトホルダを提案した（特許文献２参照）。このベイトホルダは、イワシを側方からサポートするガードを備えており、このガードは、釣針の軸部に設けられている。また、このベイトホルダは、補助アームを備えている。この補助アームは、イワシを固定する固定針を備えており、上記軸部に上方から近接した近接姿勢と、上記軸部から上方へ離反した離反姿勢との間で変位する。この補助アームが近接姿勢に変位したときに、上記固定針が上方からイワシの背中に突き刺さり、イワシが固定される。補助アームが離反姿勢に変位することにより、イワシが簡単に軸部から取り外される。つまり、釣人が軸部にイワシを乗せるだけで上記ガードが当該イワシをサポートし、さらに、釣人は、補助アームを操作することにより、簡単にイワシを着脱することができる。
【先行技術文献】
【特許文献】
【０００６】
【特許文献１】特開２００３−２３０３３０号公報
【特許文献２】特開２０１２−１２０４９６号公報
【発明の概要】
【発明が解決しようとする課題】
【０００７】
ところで、特許文献２に開示されたベイトホルダは、補助アームが弾性変形することにより変位し、軸部に係合することができるようになっている。そのため、このベイトホルダが大型のタチウオをターゲットとする船釣りに供された場合、釣人が仕掛けを水中で激しく操作すれば、上記補助アームが弾性変形して軸部から外れてしまうおそれがある。また、補助アームは屈曲された金属線からなるため、水中で補助アームに釣糸が引っかかりやすい。その結果、複数の釣人が同船した場合に、隣り合う釣人の仕掛けが補助アームに絡まってしまうおそれもある。
【０００８】
本発明はかかる背景のもとになされたものであって、その目的は、イワシやキビナゴ等の柔らかいベイトを簡単な操作で確実に保持すると共に、船釣り等に使用された場合にも釣糸が絡みにくいベイトホルダを提供することである。
【課題を解決するための手段】
【０００９】
(1) 本発明に係るベイトホルダは、餌釣り仕掛けに適用され、ベイトフィッシュをホールドするベイトホルダであって、 釣糸が接続され得るアイを有するシンカーヘッドと、一端が上記シンカーヘッドに固定された真直に延びる軸部並びに当該軸部に連続する腰部及び先曲部を有する釣針部と、 上記軸部に突設され、当該軸部に沿って配置されたベイトフィッシュに突き刺さる固定針と、上記軸部を基準に回動することにより、上記固定針を内側に配置した状態で互いに近接する保持姿勢と互いに離反する開放姿勢との間で姿勢変化する一対の樹脂又はゴムからなる挟持片とを有する。
【００１０】
この構成によれば、釣人は、一対の挟持片を開放姿勢に変位させ、ベイトフィッシュを軸部に沿って当該軸部上に配置する。このとき、軸部上に配置されたベイトフィッシュに固定針が突き刺さるので、ベイトフィッシュは、軸部上に安定して配置される。この状態で、一対の挟持片が保持姿勢に変位される。つまり、一対の挟持片は、軸部を回動基準として回動し、上記固定針及びベイトフィッシュを内側に配置して側方から包むように囲繞する。各挟持片は、金属線ではなく樹脂又はゴムからなるので、水中で操作された場合にも変形しにくい。したがって、ベイトフィッシュが確実に保持され、釣人が意図せずにベイトフィッシュが脱落することが防止される。加えて、上記挟持片は樹脂又はゴムからなるので、釣糸が絡みにくい。一対の挟持片が開放姿勢に変位すると、当該挟持片が軸部上のベイトフィッシュから離反するので、釣人は、ベイトフィッシュを素早く取り外し、取り替えることができる。
【００１１】
(2) 上記一対の挟持片の間に、当該一対の挟持片を上記保持姿勢に保持する姿勢保持機構が介在されているのが好ましい。
【００１２】
この構成では、姿勢保持機構により一対の挟持片が保持姿勢に保たれる。したがって、実釣において仕掛けが激しく操作された場合であっても、上記挟持片が開放姿勢に変位することが確実に防止される。
【００１３】
(3) 上記姿勢保持機構は、ラチェット機構であるのが好ましい。
【００１４】
この構成では、簡単な機構で、一対の挟持片が確実に保持姿勢に保たれる。
【００１５】
(4) 上記挟持片は、上記保持姿勢に変位したときにベイトフィッシュの体側中央部を露出させる窓を有しているのが好ましい。
【００１６】
この構成では、上記軸部上に配置されたベイトフィッシュが大きく露出するので、ターゲットである魚にベイトの存在を強くアピールすることができる。
【００１７】
(5) 上記挟持片は、上記軸部に沿って延びて上記窓の縁を形成し且つ上記保持姿勢に変位したときにベイトフィッシュの体側背部に沿って当接する細長棒状の当接部を有するのが好ましい。
【００１８】
この構成では、上記当接部がベイトフィッシュの体側背部を押さえるので、当該ベイトフィッシュがより安定する。しかも、この当接部が上記窓の一部を区画することになるから、当該窓が大きくなる。したがって、ベイトフィッシュの体側部がより大きく露出するという利点がある。
【００１９】
(6) 上記挟持片は、複数の連結ボスを介して上記軸部に回動自在に連結されているのが好ましい。このとき、上記連結ボスのうち少なくとも一つは、上記先曲部が長手方向に沿って挿通することができる長孔が貫通形成されているのが好ましい。
【００２０】
この構成では、挟持片が軸部に対して円滑に回動する。したがって、この連結ボスに支持された挟持片は、円滑に姿勢を変化させることができる。上記連結ボスに上記長孔が貫通形成されているので、当該挟持片が軸部に装着される際に、当該長孔に対して上記先曲部、腰部及び当該軸部が容易に挿通される。つまり、先曲部にバーブが形成されている場合であっても、連結ボスに釣針部が簡単に通されながら、当該連結ボスが上記軸部に確実に取り付けられる。
【００２１】
(7) 上記挟持片は、複数の連結ボスを介して上記軸部に回動自在に連結されており、上記連結ボスのうち少なくとも一つは、当該連結ボスの周面に開口し、上記軸部が上下方向の上から下に向かって嵌め合わされる溝が形成されていてもよい。
【００２２】
この構成では、挟持片が軸部に対して円滑に回動する。したがって、この連結ボスに支持された挟持片は、円滑に姿勢を変化させることができる。上記連結ボスに上記溝が形成されているので、当該挟持片が軸部に装着される際に、当該溝に対して上記軸部が進入する。つまり、当該連結ボスが上記軸部に簡単且つ確実に取り付けられる。
【００２３】
実釣において、多くの場合、ターゲットはベイトフィッシュに対して下から上に向かってバイトする。上記連結ボスが下方から上方に向かって軸部に嵌め合わされているから、挟持片は、釣針部に対して下から上に向かって嵌め合わされている。したがって、ターゲットがベイトフィッシュにバイトした場合でも、衝撃により挟持片が釣針部から外れてしまうことが防止される。
【００２４】
(8) 一方の挟持片は上記軸部に固定され、他方の挟持片が上記軸部を基準に回動するように構成されているのが好ましい。
【００２５】
この構成では、一対の挟持片のうち他方の挟持片のみの操作によって簡単に上記姿勢変化が可能となる。したがって、実釣におけるベイトフィッシュの着脱が迅速に行えるという利点がある。
【００２６】
(9) 本発明に係るホルダユニットは、釣糸が接続され得るアイを有するシンカーヘッドと、一端が上記シンカーヘッドに固定された真直に延びる軸部並びに当該軸部に連続する腰部及び先曲部を有する釣針部とを備えたベイトホルダに適用される。このホルダユニットは、所定の連結軸を基準に回動することにより、互いに近接してベイトフィッシュを内側に配置して側方から包むように囲繞する保持姿勢と互いに離反する開放姿勢との間で姿勢変化する一対の樹脂又はゴムからなる挟持片と、上記一対の挟持片のうち少なくとも一方に設けられ、上記軸部と着脱自在に嵌合する固定部とを備えている。
【００２７】
この構成によれば、一対の挟持片は上記連結軸を介して連結されており、上記固定部が上記軸部に嵌め合わせられる。つまり、当該ホルダユニットが上記ベイトホルダに対して着脱可能である。釣人は、一対の挟持片を開放姿勢に変位させ、ベイトフィッシュを当該挟持片の間に配置する。この状態で、一対の挟持片が保持姿勢に変位される。つまり、一対の挟持片は、連結軸を回動基準として回動し、当該ベイトフィッシュを内側に配置して側方から包むように囲繞する。各挟持片は、金属線ではなく樹脂又はゴムからなるので、水中で操作された場合にも変形しにくい。したがって、ベイトフィッシュが確実に保持され、釣人が意図せずにベイトフィッシュが脱落することが防止される。加えて、上記挟持片は樹脂又はゴムからなるので、釣糸が絡みにくい。一対の挟持片が開放姿勢に変位すると、当該挟持片がベイトフィッシュから離反するので、釣人は、ベイトフィッシュを素早く取り外し、取り替えることができる。
【発明の効果】
【００２８】
この発明によれば、釣人は、一対の挟持片を操作し、保持姿勢あるいは開放時勢に変位させるだけで、簡単且つ迅速にベイトフィッシュを軸部の上に確実に固定し、あるいは着脱することができる。しかも、上記挟持片は釣糸が絡みにくくなっているので、実釣において、仕掛けが絡み合うことが防止される。加えて、上記挟持片は、変形しにくい構造であるから、実釣において、挟持片が変形することによるベイトフィッシュの脱落が防止される。また、上記一対の挟持片がホルダユニットを構成する場合は、当該ホルダユニットが上記軸部に対して着脱可能となる。したがって、ベイトフィッシュのサイズに適合したホルダユニットを上記軸部に取り付けることが可能となる。
【図面の簡単な説明】
【００２９】
【図１】図１は、本発明の一実施形態に係るベイトホルダ１０の側面図である。
【図２】図２は、本発明の一実施形態に係るベイトホルダ１０の斜視図である。
【図３】図３は、本発明の一実施形態に係るベイトホルダ１０の斜視図である。
【図４】図４は、図１におけるIV−IV断面図である。
【図５】図５は、図１におけるV−V断面図である。
【図６】図６は、図１におけるVI−VI断面図である。
【図７】図７は、図１におけるVII−VII断面図である。
【図８】図８は、本実施形態の変形例に係るベイトホルダ７０の側面図である。
【図９】図９は、図８におけるIX−IX断面図である。
【図１０】図１０は、図８におけるX−X断面図である。
【図１１】図１１は、図８におけるXI−XI断面図である。
【図１２】図１２は、図８におけるXII−XII断面図である。
【図１３】図１３は、図８におけるXIII−XIII断面図である。
【図１４】図１４は、本発明の一実施形態に係るホルダユニット９０の断面図である。
【発明を実施するための形態】
【００３０】
以下、本発明の好ましい実施形態が、適宜図面が参照されながら説明される。なお、本実施の形態は、本発明に係るベイトホルダの一態様にすぎず、本発明の要旨を変更しない範囲で実施態様が変更されてもよいことは言うまでもない。
【００３１】
＜全体構成とポイント＞
【００３２】
図１は、本発明の一実施形態に係るベイトホルダ１０の側面図である。
【００３３】
このベイトホルダ１０は、典型的にはタチウオ釣りの仕掛けに組み込まれ、釣人の間では「タチウオテンヤ」とも称される。同図が示すように、ベイトホルダ１０は、シンカーヘッド１１と、釣針部１２と、固定針１３、１４と、後述のように姿勢変化する一対の挟持片１５、１６とを備えている。図示されていないが、たとえば冷凍イワシ等がベイトフィッシュとして採用され、釣針部１２の上に配置される。このとき、固定針１３、１４がベイトフィッシュに突き刺さり、当該ベイトフィッシュが安定する。
【００３４】
図２及び図３は、ベイトホルダ１０の斜視図であり、挟持片１５、１６の姿勢変化の様子を示している。なお、同図では、固定針１４の図示が省略されている。
【００３５】
これらの図が示すように、シンカーヘッド１１は、金属（典型的には鉛）からなる。シンカーヘッド１１は、上記仕掛けを水中に安定的に沈めるために、所定の重量に設定されている。シンカーヘッド１１の形状は特に限定されないが、本実施形態では、小魚の頭部を模して成形されている。シンカーヘッド１１の上端にアイ１７が形成されている。アイ１７は金属製の線材（典型的にはステンレス鋼）からなり、環状に形成されている。このアイ１７に釣糸が連結される。
【００３６】
釣針部１２は、ターゲット（タチウオ）がベイトフィッシュにアタックしたときに、当該ターゲットに刺さる釣針として機能する。図１〜図３が示すように、釣針部１２は、軸部１８と、腰部１９と、先曲部２０とを備えている。これらは金属製の線材（典型的にはステンレス鋼）からなり、一体的に形成されている。なお、図１において、左右方向が軸部１８の「軸方向２２」であり、左側がベイトホルダ１０の「前方」、右側が「後方」と定義され、上下方向は矢印２４で示される。
【００３７】
軸部１８は、真直な棒状の部材である。軸部１８の前端部２１（特許請求の範囲に記載された「一端部」に相当）は、シンカーヘッド１１の後端部に固定されている。この軸部１８は、軸方向２２に沿って後方に延びている。ベイトフィッシュは、軸部１８に沿って、当該軸部１８上に載置される。
【００３８】
腰部１９は、軸部１８の他端部２３に連続しており、同図において上下方向２４の下向きに湾曲している。先曲部２０は、腰部１９に連続している。この先曲部２０は、その先端部２５が軸方向２２の前側に向かって延びるように湾曲されている。なお、この先端部２３にいわゆるバーブ２６が形成されている。
【００３９】
固定針１３は、軸部１８に取り付けられている。固定針１３は、金属製の線材（典型的にはステンレス鋼）からなり、Ｃ字状に形成されている。図１が示すように、固定針１３は、基部２７及び一対の突刺部２８を有する。基部２７が軸部１８に固定され、突刺部２８が上向きに起立している。固定針１４もステンレス鋼その他の金属製の線材からなり、図１が示すようにＬ字状に形成されている。固定針１４の基部２９が軸部１８に固定されており、突刺部３０が上向きに起立している。この固定針１４の突刺部３０は、図１が示すようにシンカーヘッド１１の近傍で軸部１８の前方に配置されている。なお、これら固定針１３、１４は、省略されてもよい。
【００４０】
挟持片１５、１６は、図２及び図３が示すように軸部１８に取り付けられている。本実施形態に係るベイトホルダ１０の特徴とするところは、挟持片１５、１６が軸部１８を基準に回動することができ、両者が閉じた姿勢（図２参照）と開いた姿勢（図３参照）との間で姿勢変化するようになっている点、挟持片１５、１６が後述の姿勢保持機構３１を搭載している点、及び挟持片１５、１６が樹脂（本実施形態では、ポリアミド（ＰＡ)、ポリオシキメチレン（ＰＯＭ）、熱可塑性ポリウレタン（ＴＰＵ）、ポリプロピレン（ＰＰ）、ポリエチレン（ＰＥ）その他の樹脂）又はゴムにより構成されている点である。図２が示すように挟持片１５、１６が閉じた姿勢を「保持姿勢」と称し、図３が示すように開いた姿勢を「開放姿勢」と称す。挟持片１５、１６は、固定針１３、１４を内側に配置した状態で姿勢変化する。つまり、実釣において、ベイトフィッシュを内側に配置した状態で開閉することができる。
【００４１】
＜挟持片＞
【００４２】
図４〜図７は、それぞれ図１におけるIV−IV断面図、V−V断面図、VI−VI断面図及びVII−VII断面図である。なお、これらの図において紙面の左右方向がベイトホルダ１０の左右方向４９である。つまり、左方及び右方とは、それぞれベイトホルダ１０を後方から見た場合の左向き及び右向きを意味する。
【００４３】
図１及び図２が示すように、挟持片１５は、全体としてＣ字状に湾曲形成されている。具体的には、挟持片１５は、前脚３２と、後脚３３と、これらに掛け渡されるように形成された当接部３４と、前脚３２に設けられた第１ボス３５及び第２ボス３６（特許請求の範囲に記載された「連結ボス」に相当）と、後脚３３に設けられた第３ボス３７（特許請求の範囲に記載された「連結ボス」に相当）とを有する。
【００４４】
図１が示すように、第１ボス３５及び第２ボス３６は一体的に形成されている。両者は、軸方向２２に沿って対向配置されており、後述の要領にて軸部１８と係合する。第１ボス３５と第２ボス３６との離間距離は特に限定されるものではないが、５ｍｍ〜２０ｍｍの範囲で適宜設定される。第３ボス３７は、第２ボス３６と対向しており、第２ボス３６に対して軸方向２２の後方に配置されている。第３ボス３７は、後述の要領にて軸部１８と係合する。第２ボス３６と第３ボス３７との距離も特に限定されるものではないが、５ｍｍ〜２０ｍｍの範囲で適宜設定される。
【００４５】
図４が示すように、第１ボス３５はブロック状に形成されている。ただし、第１ボス３５の外形形状は特に限定されるものではなく、同図が示すように軸部１８が嵌合可能なサイズであればよい。第１ボス３５に溝３８が設けられている。この溝３８は、第１ボス３５の下面に開口４０を形成し、当該開口４０に連続して上方に延びている。溝３８の幅寸法は、軸部１８の外径に対応している。溝３８の長さ寸法（上下方向２４の長さ）は、特に限定されるものではないが、少なくとも軸部１８の外径よりも大きく設定される。本実施形態では、上記開口４０の周縁部に座４１が形成されている。この座４１によって開口４０の内径が拡げられている。もっとも、座４１は省略され得る。
【００４６】
本実施形態では、第２ボス３６の外形形状は、第１ボス３５と同様であり、第２ボス３６の下面に上記溝３８と同様の溝が設けられている。もっとも、第２ボス３６の外形形状は、第１ボス３５の外形形状と同一でなくてもよい。第１ボス３５及び第２ボス３６は、連結バー４２によって連結され、一体的に形成されている。
【００４７】
図１、図２及び図４が示すように、前脚３２は、第１ボス３５の前端に連続している。前脚３２は、第１ボス３５から左方外側に膨らむように円弧状に湾曲しつつ上方に延びている。
【００４８】
図５が示すように、第３ボス３７もブロック状に形成されている。この第３ボス３７の外形形状も特に限定されるものではなく、同図が示すように軸部１８が嵌合可能なサイズであればよい。本実施形態では、第３ボス３７の下面にリブ４３が形成されているが、このリブ４３は省略され得る。第３ボス３７に溝４４が設けられている。この溝４４は、第３ボス３７の上面に開口４５を形成し、当該開口４５に連続して下方に延びている。溝４４の内壁面形状は、軸部１８の外径に対応した円弧状に形成されている。上記開口４５の周縁部に座４６が形成されている。この座４６によって開口４５の内径が拡げられている。もっとも、座４６は省略され得る。
【００４９】
図１、図２及び図５が示すように、後脚３３は、第３ボス３７の後端に連続している。後脚３３は、前脚３２と同様に、第３ボス３７から左方外側に膨らむように円弧状に湾曲しつつ上方に延びている。
【００５０】
図１、図２、図６及び図７が示すように、当接部３４は、細長棒状に形成されており、軸方向２２に沿って延び、且つ若干上方に凸となるように湾曲している。当接部３４は、前脚３２の上端及び後脚３３の上端に滑らかに連続し、両者間に掛け渡すように配置されている。図６及び図７が示すように、当接部３４の断面形状は四角形であり、所定の曲げ剛性が確保されている。もっとも、当接部３４の断面形状は特に限定されるものではなく、上記所定の曲げ剛性が確保されるものであればよい。
【００５１】
当接部３４が前脚３２の上端及び後脚３３の上端に連続して軸方向２２に延びているので、挟持片１５、１６が保持姿勢となったとき（図２参照）、当接部３４は、軸部１８上に配置されたベイトフィッシュの体側部、特に体側背部に沿って当接する。
【００５２】
図１〜図３が示すように、挟持片１６も挟持片１５と同様に全体としてＣ字状に湾曲形成されている。具体的には、挟持片１６は、前脚５２、後脚５３、これらに掛け渡されるように形成された当接部５４、前脚５２に設けられた第１ボス５５（特許請求の範囲に記載された「連結ボス」に相当）及び後脚５３に設けられた第２ボス５６（特許請求の範囲に記載された「連結ボス」に相当）を有する。
【００５３】
図１が示すように、第１ボス５５及び第２ボス５６は、軸方向２２に沿って対向配置されており、軸部１８と係合する。第１ボス３５と第２ボス３６との離間距離は特に限定されるものではない。本実施形態では、第１ボス５５は、挟持片１５に設けられた第１ボス３５と第２ボス３６との間に配置され、第２ボス５６は、挟持片１５に設けられた第３ボス３７の前方に配置されている。ただし、第１ボス５５及び第２ボス５６の位置についても特に限定されるものではない。
【００５４】
図６が示すように、第１ボス５５は鍵形のブロック状に形成されている。もっとも、第１ボス５５の外形形状も特に限定されるものではなく、同図が示すように軸部１８が嵌合可能なサイズであればよい。第１ボス５５に溝５８が設けられている。この溝５８は、第１ボス５５の右面に開口６０を形成し、当該開口６０に連続して左方に延びている。溝５８の幅寸法は、軸部１８の外径に対応しており、溝５８の内壁面形状は円弧状に形成されている。上記開口６０の周縁部に座６１が形成されている。この座６１によって開口６０の内径が拡げられている。もっとも、座６１は省略され得る。
【００５５】
図１及び図２並びに図４及び図６が示すように、前脚５２は、第１ボス５５の前端に連続している。前脚５２は、図４が示すように、第１ボス５５から右方外側に突出し（図６参照）、同向きに膨らむように円弧状に湾曲しつつ上方へ延びている（図４参照）。前脚５２は、挟持片１５の前脚３２と左右対称形状であってもよい。
【００５６】
図７が示すように、第２ボス５６もブロック状に形成されている。この第２ボス５６の外形形状も特に限定されるものではなく、同図が示すように軸部１８が嵌合可能なサイズであればよい。第２ボス５６に溝６３が設けられている。この溝６３は、第２ボス５６の上面に開口６５を形成し、当該開口６５に連続して下方に延びている。溝６３の内壁面形状は、上記溝５８（図６参照）と同様に、軸部１８の外径に対応した円弧状に形成されている。上記開口６５の周縁部に座６６が形成されている。この座６６によって開口６５の内径が拡げられている。もっとも、座６６は省略され得る。
【００５７】
図１及び図２並びに図５及び図７が示すように、後脚５３は、第２ボス５６の後端に連続している。後脚５３は、第２ボス５６から右方外側に突出し（図７参照）、同向きに膨らむように円弧状に湾曲しつつ上方へ延びている。この後脚５３は、挟持片１５の後脚３３と左右対称形状であってもよい。
【００５８】
図１、図２、図６及び図７が示すように、当接部５４は、挟持片１５の当接部３４と同様の外形形状を呈し、細長棒状に形成されている。すなわち、当接部５４は、軸方向２２に沿って延び、且つ若干上方に凸となるように湾曲している。当接部５４は、前脚５２の上端及び後脚５３の上端に滑らかに連続し、両者間に掛け渡すように配置されている。図６及び図７が示すように、当接部５４の断面形状は四角形である。本実施形態では、当接部５４の断面形状と当接部３４の断面形状が同一ではないが、これらが同じであってもよい。要するに、当接部５４も当接部３４と同等の曲げ剛性が確保されていればよい。
【００５９】
当接部５４が前脚５２の上端及び後脚５３の上端に連続して軸方向２２に延びているので、挟持片１５、１６が保持姿勢となったとき（図２参照）、当接部５４は、軸部１８上に配置されたベイトフィッシュの体側部、特に体側背部に沿って当接する。つまり、当接部５４及び上記当接部３４がベイトフィッシュの体側背部に左右から当接し、当該ベイトフィッシュを挟持する。
【００６０】
本実施形態では、挟持片１５及び挟持片１６は、前述のようにＣ字状を呈する。すなわち、挟持片１５、１６の中央に大きく開いた窓５１が形成される。上記当接部３４、５４は、この窓５１の縁を形成している。この窓５１による作用効果については後述される。
【００６１】
＜姿勢保持機構＞
【００６２】
図２及び図３並びに図１が示すように、姿勢保持機構３１は、挟持片１５と挟持片１６との間に介在されており、本実施形態ではラチェット機構が採用されている。具体的には、姿勢保持機構３１は、スライダ６８及びスライドベース６９を有する。スライドベース６９は、挟持片１５の当接部３４に一体的に形成され、スライダ６８は、挟持片１６の当接部５４に一体的に形成されている。もっとも、スライドベース６９及びスライダ６８が挟持片１５、１６とは別の部材として構成され、既知の手段により挟持片１５、１６に固定されていてもよい。
【００６３】
スライダ６８は、上記当接部５４に突設されており、図２が示すように、断面形状が矩形の平板状に形成されている。スライダ６８は、挟持片１６が保持姿勢のとき、挟持片１５側に突出する。スライドベース６９は、上記当接部３４に設けられており、スライダ６８が係合し得る形状に形成されている。図３が示すように、スライダ６８に歯６７が形成されており、スライドベース６９の内壁面に歯止め（不図示）が形成されている。スライダ６８がスライドベース６９に挿入されると、上記歯６７がスライドベース６９の歯止めと係合し、上記保持姿勢が維持される。本実施形態では挟持片１５、１６が樹脂又はゴムからなるので、釣人が挟持片１６を上方から下向きに押圧することにより容易に弾性変形し、歯６７が上記歯止めから外れる。
【００６４】
なお、本実施形態では姿勢保持機構３１として上記ラチェット機構が採用されるが、他の機構が採用されてもよい。また、上記姿勢保持機構３１は、省略されてもよい。その場合、たとえば、輪ゴムその他のゴムバンドで挟持片１５、１６が括られ、保持姿勢に保持されてもよい。さらに、このゴムバンドに代えて、紐や面ファスナーが採用されてもよいし、クリップで挟持片１５、１６が挟まれることにより保持姿勢に保持されてもよい。
【００６５】
一対の挟持片１５、１６は、次の要領で釣針部１２に装着される。
【００６６】
図１、図４及び図５が示すように、挟持片１５は、第１ボス３５及び第２ボス３６と第３ボス３７が軸部１８と嵌合することにより、当該軸部１８に装着される。図４が示すように、第１ボス３５及び第２ボス３６に設けられた溝３８に、軸部１８が径方向に沿って相対的に移動し、上下方向に嵌め込まれる。前述のように軸部１８の外径と溝３８の幅寸法とが対応しているが、具体的には、軸部１８が溝３８に圧入されるように両者の公差が設けられているのが好ましい。図５が示すように、第３ボス３７は、軸部１８に対して相対的に下方から上向きに嵌め合わされる。軸部１８の外径と溝４４の幅寸法との関係についても、軸部１８が溝４４に圧入されるように両者の公差が設けられているのが好ましい。
【００６７】
第１ボス３５、第２ボス３６及び第３ボス３７が軸部１８に嵌め合わされることにより、各ボス３５〜３７は、軸部１８を回動基準として回転することが可能となる。ただし、本実施形態では、軸部１８の上に固定針１４の基部２９が配置されているので、当該基部２９と軸部１８とが上下に重なった状態で溝３８に挿入する。すなわち、構造的に軸部１８に対して第１ボス３５及び第２ボス３６が回転することが規制され、第１ボス３５及び第２ボス３６がより確実に軸部１８に固定される。さらに、たとえば接着剤等が使用されることにより、軸部１８に対して第１ボス３５及び第２ボス３６がより強固に固定される。
【００６８】
図１、図６及び図７が示すように、挟持片１６は、第１ボス５５及び第２ボス５６が軸部１８と嵌合することにより、当該軸部１８に装着される。図６が示すように、第１ボス５５に設けられた溝５８に、軸部１８が径方向に沿って相対的に移動し、左右方向４９に嵌め込まれる。前述のように軸部１８の外径と溝５８の幅寸法とが対応しているが、具体的には、軸部１８が溝５８に圧入されるように両者の公差が設けられているのが好ましい。図７が示すように、第２ボス５６は、軸部１８に対して相対的に下方から上向きに嵌め合わされる。軸部１８の外径と溝６３の幅寸法との関係についても、軸部１８が溝６３に圧入されるように両者の公差が設けられているのが好ましい。
【００６９】
第１ボス５５及び第２ボス５６が軸部１８に嵌め合わされることにより、これらは、軸部１８を回動基準として回転することが可能となる。本実施形態では、前述のように挟持片１５が軸部１８に固定されているから、図２及び図３が示すように、直立した姿勢で軸部１８に固定された挟持片１５に対して、挟持片１６が回転することによって姿勢を変化させる。すなわち、挟持片１６の当接部５４が挟持片１５の当接部３４に近接した保持姿勢（図２参照）と、当接部５４が当接部３４から離反した開放姿勢（図３参照）との間で変位する。もっとも、前述のように固定針１４が省略され、挟持片１５も軸部１８に対して回動可能である場合は、挟持片１５及び挟持片１６が相対的に接離し、上記保持姿勢と開放姿勢との間で姿勢変化をする。
【００７０】
＜ベイトホルダの使用要領＞
【００７１】
このベイトホルダ１０は、前述のように、たとえばタチウオ釣りの仕掛けに組み込まれ、「タチウオテンヤ」として使用される。釣人は、次のようにしてベイトフィッシュをベイトホルダ１０に対して着脱する。
【００７２】
図２及び図３が示すように、釣人は、ベイトホルダ１０を手に取り、挟持片１６を回動させる。挟持片１５は軸部１８に固定されているから、挟持片１６が挟持片１５に対して開く。このとき、姿勢保持機構３１のスライダ６８がスライドベース６９と係合している場合は、釣人は、スライダ６８を下方に押し下げることによって容易に両者の係合を解除することができる。これにより、一対の挟持片１５、１６は、図２が示す保持姿勢から図３が示す開放姿勢に変化する。
【００７３】
ベイトフィッシュが軸部１８の上に配置される。このとき、ベイトフィッシュは固定針１３、１４に突き刺され、軸部１８に沿って安定して配置される。固定針１４が軸部１８の前方且つシンカーヘッド１１の近傍に配置されているので、固定針１４は、ベイトフィッシュの頭部周辺の比較的固い部分に突き刺さる。したがって、ベイトフィッシュとして冷凍イワシ等の身が崩れやすい魚が採用された場合であっても、ベイトフィッシュは軸部１８上で安定する。釣人が挟持片１６を操作し、挟持片１５、１６を保持姿勢に変化させると、固定針１３、１４に突き刺されたベイトフィッシュは、挟持片１５、１６の内側に包まれる。
【００７４】
挟持片１５、１６は、従来のような金属線ではなく上記樹脂等からなり、所定の剛性を備えるから、水中で仕掛けが激しく操作された場合にも変形しにくく、実釣においてベイトフィッシュがベイトホルダ１０から脱落することが防止される。しかも、挟持片１５、１６は上記樹脂等からなるため、釣糸が絡みにくい。したがって、このベイトホルダ１０が船釣り用仕掛けに使用された場合であっても、実釣中にラインが絡み合うことが防止される。なお、挟持片１５、１６が樹脂から構成される場合、当該樹脂が蓄光機能を有していてもよいし、カラーバリエーションを備えていてもよい。
【００７５】
一方、釣人は、挟持片１６を操作して挟持片１５、１６を開放姿勢に変位させることにより（図３参照）、軸部１８上に配置されたベイトフィッシュを素早く容易に取り替えることができる。本実施形態では、挟持片１６のみの操作によって簡単に上記姿勢変化が可能であるから、実釣におけるベイトフィッシュの着脱が迅速に行えるという利点がある。
【００７６】
本実施形態では、姿勢保持機構３１が設けられているから、挟持片１５、１６が保持姿勢に変位した場合に、当該姿勢が保たれる。したがって、実釣において仕掛けが激しく操作された場合であっても、釣人が意図せずに挟持片１５、１６が開放姿勢に変位することがなく、ベイトフィッシュの脱落が確実に防止される。
【００７７】
この姿勢保持機構３１としてラチェット機構が採用されているから、挟持片１５、１６の姿勢保持が簡単且つ確実であり、しかも当該姿勢保持の解除も容易である。また、簡単な構造のラチェット機構は、たとえば金型を用いた成形によって、挟持片１５、１６と一体的に容易且つ安価に製造され得るという利点もある。
【００７８】
図１〜図３が示すように、挟持片１５、１６は窓５１を備えている。このため、挟持片１５、１６が保持姿勢に変位したとき、軸部１８上に配置されたベイトフィッシュの体側中央部が大きく露出し、ターゲットである魚にベイトの存在を強くアピールすることができる。
【００７９】
本実施形態では、挟持片１５、１６が保持姿勢にしてベイトフィッシュを包み込んだ状態で、当接部３４、５４がベイトフィッシュの体側背部に沿って当接する。つまり、当接部３４、５４がベイトフィッシュの体側部を左右方向４９から押さえつけることになるので、ベイトフィッシュがより安定する。しかも、前述のように、当接部３４、５４が窓５１の一部を区画することになるから、窓５１のサイズが十分に大きくなる。したがって、ベイトフィッシュの体側部がより大きく露出するという利点がある。
【００８０】
図１が示すように、本実施形態では、挟持片１５、１６は、第１ボス３５〜第３ボス３７並びに第１ボス５５及び第２ボス５６を介して軸部１８に回動自在に連結されているから、挟持片１５、１６は円滑に回動し、姿勢変化することができる。また、各ボス３５〜３７、５６、５７は、当該ボス３５〜３７、５６、５７の周面に開口する溝３８、４４、５８、６３を有し、この溝３８、４４、５８、６３に軸部１８が簡単に嵌め合わされる。したがって、挟持片１５、１６の軸部１８への着脱作業が簡単である。
【００８１】
＜変形例＞
【００８２】
図８は、本実施形態の変形例に係るベイトホルダ７０の側面図である。
【００８３】
本変形例に係るベイトホルダ７０が上記実施形態に係るベイトホルダ１０と異なるところは、本変形例に係る挟持片１５の第１ボス７５、第２ボス７６及び第３ボス７７（特許請求の範囲に記載された「連結ボス」に相当）並びに挟持片１６の第１ボス８５及び第２ボス８６（特許請求の範囲に記載された「連結ボス」に相当）の構造が、上記実施形態に係る第１ボス３５、第２ボス３６及び第３ボス３７並びに挟持片１６の第１ボス５５及び第２ボス５６と異なっている点、シンカーヘッド１１に魚の頭部を表す模様７２が付されており、且つベイトフィッシュを支えるアンカー７１が設けられている点である。なお、その他の構成については、上記実施形態に係るベイトホルダ１０と同様である。
【００８４】
上記模様７２は、シンカーヘッド１１の表面が切削されることにおり簡単に付される。このような模様７２が付されることにより、ベイトホルダ７０は疑似餌としての能力を発揮する。また、本変形例では、シンカーヘッド１１に「５０」なる表記がなされているが、これは錘サイズとして５０号であることを示している。
【００８５】
アンカー７１は、丸棒部材が三角形状に屈曲されたものであり、シンカーヘッド１１と一体的に形成される。ベイトフィッシュが軸部１８上に配置される際に、アンカー７１が当該ベイトフィッシュの頭部に押し込まれる。これにより、当該ベイトフィッシュは、より安定的に軸部１８上に配置される。
【００８６】
図９〜図１３は、それぞれ図８におけるIX−IX断面図、X−X断面図、XI−XI断面図、XII−XII断面図及びXIII−XIII断面図である。
【００８７】
図９が示すように、第１ボス７５に溝７８が設けられている。この溝７８は、第１ボス７５の上面に開口４０を形成し、当該開口４０に連続して下方に延びている。溝７８の幅寸法は、軸部１８の外径に対応している。溝７８の長さ寸法（上下方向２４の長さ）は、上記実施形態に係る溝３８と同様である。本変形例においても、開口４０の周縁部に座４１が形成されている。この座４１によって開口４０の内径が拡げられている。もっとも、座４１は省略され得る。
【００８８】
図１０が示すように、第２ボス７６はブロック状に形成されている。この第２ボス７６の外形形状は特に限定されるものではなく、同図が示すように軸部１８が嵌合可能なサイズであればよい。第２ボス７６に溝８４が設けられている。この溝８４は、第２ボス７６の上面に開口４５を形成し、当該開口４５に連続して下方に延びている。溝８４の内壁面形状は、軸部１８の外径に対応した円弧状に形成されている。上記開口４５の周縁部に座４６が形成されている。この座４６によって開口４５の内径が拡げられている。もっとも、座４６は省略され得る。
【００８９】
図１１が示すように、第３ボス７７もブロック状に形成されている。この第３ボス７７に長孔７３が形成されている。この長孔７３は、同図において紙面に垂直な方向、つまり軸方向２２に沿って延び、第３ボス７７を貫通している。長孔７３の最大内径は、軸部１８の外径に対応しており、軸部１８が長孔７３と嵌合するようになっている。長孔７３の内壁面形状は、同図が示すように、上下方向２４に延びるくさび形である。ただし、長孔７３の内壁面形状は特に限定されるものではなく、要するに軸部１８が嵌合できるように形成されていればよい。長孔７３の上下方向２４の寸法は、釣針部１２の先曲部２０が長手方向に沿って挿通するために十分な寸法が確保されている。
【００９０】
図１２が示すように、第１ボス８５は鍵形のブロック状に形成されている。もっとも、第１ボス８５の外形形状も特に限定されるものではなく、同図が示すように軸部１８が嵌合可能なサイズであればよい。第１ボス８５に溝８８が設けられている。溝８８は、第１ボス８５の右面に開口６０を形成しており、この開口６０に連続して左方に延びている。溝８８の幅寸法は、軸部１８の外径に対応しており、溝８８の内壁面形状は円弧状に形成されている。上記開口６０の周縁部に座６１が形成されている。この座６１によって開口６０の内径が拡げられている。もっとも、座６１は省略され得る。
【００９１】
図１３が示すように、第２ボス８６もブロック状に形成されている。この第２ボス８６に長孔７４が形成されている。この長孔７４は、上記第３ボス７７（図１１参照）に形成された長孔７３と同様の形状であり、図１３において紙面に垂直な方向、つまり軸方向２２に沿って延び、第２ボス８６を貫通している。長孔７４の最大内径は、軸部１８の外径に対応しており、軸部１８が長孔７４と嵌合する。長孔７４の内壁面形状は、同図が示すように、上下方向２４に延びるくさび形である。長孔７４の上下方向２４の寸法は、上記先曲部２０が挿通し得る寸法に設定されている。
【００９２】
本変形例では、挟持片１５、１６を軸部１８に装着する際に、第３ボス７７及び第２ボス８６に設けられた長孔７３、７４に釣針部１２が挿通される。具体的には、先曲部２０、腰部１９及び軸部１８が順に長手方向に沿って長孔７３、７４に挿通され、その後、挟持片１５の第１ボス７５及び第２ボス７６が軸部１８に嵌め合わされると共に、挟持片１６の第１ボス８５が軸部１８に嵌め合わされる。上記長孔７３、７４は、前述のように上下方向２４に延びているから、上記先曲部２０にバーブ２６が設けられていても、釣針部１２は円滑に挿通され得る。これにより、第３ボス７７及び第２ボス８６が軸部１８に確実に取り付けられ、実釣において挟持片１５、１６の脱落が確実に防止される。
【００９３】
ところで、実釣において、一般にターゲットは、ベイトフィッシュに対して下から上に向かってバイトする。本変形例では、図９及び図１０が示すように、軸部１８は、第１ボス７５及び第２ボス７６に対して上下方向２４の上から下に向かって嵌め合わされているので、ターゲットがベイトフィッシュにバイトした場合でも、衝撃により挟持片１５が釣針部１２から外れてしまうことが防止される。
【００９４】
＜ホルダユニット＞
【００９５】
図１４は、本発明の一実施形態に係るホルダユニット９０の断面図である。
【００９６】
このホルダユニット９０は、上記実施形態に係るベイトホルダ１０の変形例として実施されるものであって、一対の挟持片１５、１６が連結軸９１を介して互いに相対的に回動し得るように連結されている。
【００９７】
同図が示すように、第１ボス３５に軸方向２２（紙面に垂直な方向）に沿って貫通孔９３が設けられている。同図では図示されていないが、同様の貫通孔９３が第２ボス３６、第３ボス３７並びに第１ボス５５及び第２ボス５６にも設けられている。各貫通孔９３に連結軸９１が挿通されており、当該連結軸９１によって挟持片１５、１６が串刺し状態となっている。これにより、一対の挟持片１５、１６が上記姿勢変化をすることができるようになっている。
【００９８】
第１ボス３５に、溝９２が設けられている。この溝９２は、第１ボス３５の下面に開口９４を形成し、当該開口９４に連続して上方に延びている。溝９２の幅寸法は、軸部１８の外径に対応している。溝９２の長さ寸法（上下方向２４の長さ）は、特に限定されるものではないが、少なくとも軸部１８の外径よりも大きく設定される。上記溝９２の内壁面に縮径部９５が設けられている。この縮径部９５は、溝９２の内壁面に形成された段差部や隆起部により構成され得る。この縮径部９５によって、軸部１８が溝９２に嵌め込まれた際に、当該軸部１８が溝９２内に確実に固定され、しかも、ホルダユニット９０が軸部１８から取り外される。なお、この溝９２は、上記第２ボス３６、第３ボス３７並びに第１ボス５５及び第２ボス５６にも設けられていてもよい。
【００９９】
このように、一対の挟持片１５、１６がホルダユニット９０を構成し、軸部１８に対して着脱自在となっているので、予め複数のサイズのホルダユニット９０が用意されるならば、ベイトフィッシュのサイズに適合したホルダユニット９０が軸部１８に取り付けられる。
【符号の説明】
【０１００】
１０・・・ベイトホルダ
１１・・・シンカーヘッド
１２・・・釣針部
１３・・・固定針
１４・・・固定針
１５・・・挟持片
１６・・・挟持片
１８・・・軸部
１９・・・腰部
２０・・・先曲部
２１・・・前端部
２２・・・軸方向
２３・・・他端部
２４・・・上下方向
２５・・・先端部
２６・・・バーブ
２９・・・基部
３１・・・姿勢保持機構
３４・・・当接部
３５・・・第１ボス
３６・・・第２ボス
３７・・・第３ボス
３８・・・溝
４０・・・開口
４１・・・座
４４・・・溝
４５・・・開口
４６・・・座
４９・・・左右方向
５１・・・窓
５４・・・当接部
５５・・・第１ボス
５６・・・第２ボス
５８・・・溝
６１・・・座
６３・・・溝
６５・・・開口
６６・・・座
６７・・・歯
６８・・・スライダ
６９・・・スライドベース
７０・・・ベイトホルダ
７３・・・長孔
７４・・・長孔
７５・・・第１ボス
７６・・・第２ボス
７７・・・第３ボス
７８・・・溝
８４・・・溝
８５・・・第１ボス
８６・・・第２ボス
８８・・・溝
９０・・・ホルダユニット
９１・・・連結軸
９３・・・貫通孔
９４・・・開口
９５・・・縮径部